(57)【要約】【課題】単純な回路構成でありながら、違法磁界とコネクタ接続不良とを合わせて検出可能な遊技機を提供する。【解決手段】ＯＮ／ＯＦＦ動作する磁気センサを設けた不正検出基板３０と、磁気センサからの検出信号を受ける払出制御基板２５とが、複数本の配線ケーブルを通して接続される。不正検出基板３０では、払出制御基板２５から受けた直流電圧Ｖｃｃを、直接又は抵抗を経由して払出制御基板２５に出力すると共に、磁気センサの検出信号を払出制御基板２５に出力し、払出制御基板２５では、不正検出基板３０が出力する直流電圧を受ける入力端子と、グランド端子との間に検出抵抗Ｒ２を設けると共に、不正検出基板３０が出力する検出信号を検出抵抗Ｒ２に接続するようにしている。【選択図】図４
2010269171.tif 000002
【特許請求の範囲】
【請求項１】
遊技者の動作に関連する所定の検出状態が発生すると、これに起因する当否抽選によって遊技者に有利な利益状態を発生させるか否かを決定する遊技機であって、
ＯＮ／ＯＦＦ動作するセンサを設けた複数の周辺基板と、前記センサからの検出信号を受けて前記センサが検知した事態を把握する中央基板とが、複数本の配線ケーブルを通して接続され、
最下流位置を除く前記周辺基板では、前記中央基板から受けた直流電圧を、直接又は抵抗を経由して、下流側の前記周辺基板に出力する一方、前記センサの検出信号を前記中央基板に出力し、
最下流位置の前記周辺基板では、上流側の前記周辺基板から受けた直流電圧を、直接又は抵抗を経由して前記中央基板に出力すると共に、前記センサの検出信号を中央基板に出力し、
前記中央基板では、前記最下流位置の周辺基板が出力する前記直流電圧を受ける入力端子と、グランド端子との間に検出抵抗を設けると共に、複数の前記周辺基板が出力する全ての検出信号を、共通して前記検出抵抗に接続する
ことを特徴とする遊技機。
【請求項２】
遊技者の動作に関連する所定の検出状態が発生すると、これに起因する当否抽選によって遊技者に有利な利益状態を発生させるか否かを決定する遊技機であって、
ＯＮ／ＯＦＦ動作するセンサを設けた周辺基板と、前記センサからの検出信号を受けて前記センサが検知した事態を把握する中央基板とが、複数本の配線ケーブルを通して接続され、
前記周辺基板では、前記中央基板から受けた直流電圧を、直接又は抵抗を経由して前記中央基板に出力すると共に、これと同一の配線ケーブルを使用して前記センサの検出信号を前記中央基板に出力し、
前記中央基板では、前記周辺基板が出力する前記直流電圧及び検出信号を受ける入力端子とグランド端子との間に、検出抵抗及びこれに並列接続されるコンデンサを設ける
ことを特徴とする遊技機。
【請求項３】
前記センサは、外力に反応して接点が開閉されるＯＮ／ＯＦＦスイッチか、又は磁界に反応して接点が開閉される磁気スイッチである請求項１又は２に記載の遊技機。
【請求項４】
前記検出抵抗の両端電圧は、中央基板に配置されたスイッチング素子に入力信号として供給される請求項１〜３の何れかに記載の遊技機。
【請求項５】
前記配線ケーブルは、少なくともその一部がツイストペア線である請求項１〜４の何れかに記載の遊技機。
【請求項６】
前記複数個の配線ケーブルは全てコネクタを経由して配線され、各コネクタの両端の端子は、各々前記直流電圧とグランドラインに接続されている請求項１〜５の何れかに記載の遊技機。
【発明の詳細な説明】
【技術分野】
【０００１】
本発明は、コンピュータ回路を備えて構成される遊技機に関し、特に、簡単な回路構成によって、違法磁界とコネクタ接続不良とを合わせて検出できる遊技機に関する。
【背景技術】
【０００２】
パチンコ機などの弾球遊技機は、遊技盤に設けた図柄始動口と、複数の表示図柄による一連の図柄変動態様を表示する図柄表示部と、開閉板が開閉される大入賞口などを備えて構成されている。そして、図柄始動口に設けられた検出スイッチが遊技球の通過を検出すると入賞状態となり、遊技球が賞球として払出された後、図柄表示部では表示図柄が所定時間変動される。その後、７−７−７などの所定の態様で図柄が停止すると大当り状態となり、大入賞口が繰返し開放されて、遊技者に有利な利益状態を発生させている。
【０００３】
そのため、意図的な入賞状態を発生させるため、強力な永久磁石を使用して、図柄始動口やその他の入賞口に遊技球を誘導する違法行為が懸念されるところである。そこで、磁界に反応してＯＮ／ＯＦＦ動作をするリードスイッチを適所に配置して、永久磁石の悪用を検知するようにしている（例えば、特許文献１）。
【先行技術文献】
【特許文献】
【０００４】
【特許文献１】特開２００５−１３７８７７公報
【発明の概要】
【発明が解決しようとする課題】
【０００５】
しかしながら、従来の遊技機では、違法磁界の検出回路の構成が簡単ではないため、多数のリードスイッチを最適な箇所に配置することが必ずしもできなかった。また、不正遊技者が、リードスイッチによる監視動作を無効化するために、コネクタを外してしまう違法行為も予想されるところ、コネクタの接続の良否まで合わせて検出できる回路構成は知られていない。
【０００６】
本発明は、上記した問題点に鑑みてなされたものであって、単純な回路構成でありながら、違法磁界とコネクタ接続不良とを合わせて検出可能な遊技機を提供することを目的とする。
【課題を解決するための手段】
【０００７】
上記の目的を達成するため、請求項１に係る発明は、遊技者の動作に関連する所定の検出状態が発生すると、これに起因する当否抽選によって遊技者に有利な利益状態を発生させるか否かを決定する遊技機であって、ＯＮ／ＯＦＦ動作するセンサを設けた複数の周辺基板と、前記センサからの検出信号を受けて前記センサが検知した事態を把握する中央基板とが、複数本の配線ケーブルを通して接続され、最下流位置を除く前記周辺基板では、前記中央基板から受けた直流電圧を、直接又は抵抗を経由して、下流側の前記周辺基板に出力する一方、前記センサの検出信号を前記中央基板に出力し、最下流位置の前記周辺基板では、上流側の前記周辺基板から受けた直流電圧を、直接又は抵抗を経由して前記中央基板に出力すると共に、前記センサの検出信号を中央基板に出力し、前記中央基板では、前記最下流位置の周辺基板が出力する前記直流電圧を受ける入力端子と、グランド端子との間に検出抵抗を設けると共に、複数の前記周辺基板が出力する全ての検出信号を、共通して前記検出抵抗に接続するようにしている。
【０００８】
また、請求項２に係る発明は、遊技者の動作に関連する所定の検出状態が発生すると、これに起因する当否抽選によって遊技者に有利な利益状態を発生させるか否かを決定する遊技機であって、ＯＮ／ＯＦＦ動作するセンサを設けた周辺基板と、前記センサからの検
出信号を受けて前記センサが検知した事態を把握する中央基板とが、複数本の配線ケーブルを通して接続され、前記周辺基板では、前記中央基板から受けた直流電圧を、直接又は抵抗を経由して前記中央基板に出力すると共に、前記センサの検出信号を前記中央基板に出力し、前記中央基板では、前記周辺基板が出力する前記直流電圧を受ける入力端子と、グランド端子との間に検出抵抗を設けると共に、前記周辺基板が出力する検出信号を前記検出抵抗に接続するようにしている。
【０００９】
上記何れの発明も、中央基板から周辺基板に対してあえて直流電圧を伝送する点に特徴がある。簡易な構成を必要とする場合には、例えば、図７のような構成になると考えられるが、このような構成では、スイッチのＯＦＦ状態と配線異常の区別ができない。しかし、上記した各発明によれば、直流電圧を中央基板と周辺基板との間で循環させるので、センサが検出する異常事態と、センサでは検出できない接続異常とを合わせて検出することができる。
【００１０】
本発明のセンサは特に限定されないが、外力に反応して接点が開閉されるＯＮ／ＯＦＦスイッチか、又は磁界に反応して接点が開閉される磁気スイッチであることが好ましい。また、検出抵抗の両端電圧は、好ましくは、中央基板に配置されたスイッチング素子に入力信号として供給される
ノイズ対策上は、周辺基板から出力される前記検出信号は、ツイストペア線によって前記中央基板に伝送されるべきである。また、接続異常を確実に検出するには、複数個の配線ケーブルは全てコネクタを経由して配線され、各コネクタの両端の端子は、前記直流電圧とグランドラインに接続されるのが好ましい。
【発明の効果】
【００１１】
上記した本発明によれば、極めて簡単な構成でありながら、違法磁界とコネクタ接続不良とを合わせて確実に検出することができる。
【図面の簡単な説明】
【００１２】
【図１】実施例のパチンコ機の斜視図である。
【図２】パチンコ機の遊技盤を示す正面図である。
【図３】図１のパチンコ機の全体構成を示すブロック図である。
【図４】不正検出基板と払出制御基板の一部を示す回路図である。
【図５】図４の変形回路例である。
【図６】図４の更に別の変形回路例である。
【図７】本発明を説明するための対比回路である。
【発明を実施するための形態】
【００１３】
以下、実施例に係る弾球遊技機に基づいて本発明を詳細に説明する。図１は、本実施例のパチンコ機を示す正面図である。図示のパチンコ機は、島構造体に着脱可能に装着される矩形枠状の木製外枠１と、外枠１に固着された第１ヒンジ２Ａを介して開閉可能に枢着される前枠３とで構成されている。この前枠３には、遊技盤５が裏側から着脱自在に装着され、その前側には、ガラス扉（開閉扉）６と前面板７とが夫々開閉自在に枢着されている。
【００１４】
前面板７には発射用の遊技球を貯留する上皿８が装着され、前枠４の下部には、上皿８から溢れ出し又は抜き取った遊技球を貯留する下皿９と、発射ハンドル１０とが設けられている。発射ハンドル１０は発射モータＭ２と連動しており、発射ハンドル１０の回動角度に応じて動作する打撃槌によって遊技球が発射される。
【００１５】
上皿８の外周面には、チャンスボタン１１が設けられている。このチャンスボタン１１は、遊技者の左手で操作できる位置に設けられており、遊技者は、発射ハンドル１０から右手を離すことなくチャンスボタン１１を操作できる。このチャンスボタン１１は、通常時には機能していないが、ゲーム状態がボタンチャンス状態となると内蔵ランプが点灯されて操作可能となる。なお、ボタンチャンス状態は、必要に応じて設けられるゲーム状態である。
【００１６】
上皿８の右部には、カード式球貸し機に対する球貸し操作用の操作パネル１２が設けられ、カード残額を３桁の数字で表示する度数表示部と、所定金額分の遊技球の球貸しを指示する球貸しスイッチと、ゲーム終了時にカードの返却を指令する返却スイッチとが設け
られている。
【００１７】
上皿８の更に右部には、遊技機を開放するための鍵穴ＨＯが設けられている。そして、鍵穴ＨＯに開錠キーを挿入して時計方向に少し回転すると、ガラス扉６が前枠３から開放されるよう構成されている。また、鍵穴ＨＯに挿入した開錠キーを大きく回転すると、前枠３が外枠１から開放されるようになっている。この前枠３の開放状態では、遊技盤５や各制御基板２０〜２６が前枠３と一体的に開放される。
【００１８】
図２（ａ）に示すように、遊技盤５には、金属製の外レールと内レールとからなるガイドレール１３が環状に設けられ、その内側の遊技領域５ａの略中央には、液晶カラーディスプレイＤＩＳＰが配置されている。また、遊技領域５ａの適所には、図柄始動口１５、大入賞口１６、複数個の普通入賞口１７（大入賞口１６の左右に４つ）、２つの通過口であるゲート１８が配設されている。これらの入賞口１５〜１８は、それぞれ内部に検出スイッチを有しており、遊技球の通過を検出できるようになっている。
【００１９】
本実施例では、各入賞口１５〜１８に対応して、異常磁界に反応してＯＮ動作する磁気センサたるリードスイッチＳＷが配置されている。磁気センサＳＷは、具体的には図２（ｂ）に示す通りであり、不活性ガスが封入されたガラス管の中に、先端に強磁性体Ｃ１，Ｃ２が固着された板バネＳＰが配置されて構成されている。
【００２０】
遊技機が通常の遊技動作をしている場合には、リードスイッチＳＷの周りには、特別に強い磁界は存在しない。したがって、２つの強磁性体Ｃ１，Ｃ２は離間しており、２つのリード端子間Ｔ１，Ｔ２は電気的にＯＦＦ状態となる。一方、不正遊技者が強力な磁石を使用して、遊技球を入賞口に誘導したような場合には、その強力な磁界に反応して、強磁性体Ｃ１，Ｃ２が磁化されて互いに磁着され、リード端子間Ｔ１，Ｔ間が電気的に短絡される。そこで、リードスイッチＳＷがＯＮ状態に遷移したことに基づいて違法行為を検出できることになる。なお、この点については、更に後述する。
【００２１】
液晶ディスプレイＤＩＳＰは、大当り状態に係わる特定図柄を変動表示すると共に背景画像や各種のキャラクタなどをアニメーション的に表示する装置である。この液晶ディスプレイＤＩＳＰは、中央部に特別図柄表示部Ｄａ〜Ｄｃと右上部に普通図柄表示部１９を有している。そして、特別図柄表示部Ｄａ〜Ｄｃでは、大当り状態の招来を期待させるリーチ演出が実行され、特別図柄表示部Ｄａ〜Ｄｃ及びその周りでは、当否結果を不確定に報知する予告演出などが実行される。
【００２２】
普通図柄表示部１９は普通図柄を表示するものであり、ゲート１８を通過した遊技球が検出されると、表示される普通図柄が所定時間だけ変動し、遊技球のゲート１８の通過時点において抽出された抽選用乱数値により決定される停止図柄を表示して停止するようになっている。
【００２３】
図柄始動口１５は、左右１対の開閉爪１５ａを備えた電動式チューリップで開閉されるよう例えば構成され、普通図柄表示部１９の変動後の停止図柄が当り図柄を表示した場合には、開閉爪１５ａが所定時間だけ開放されるようになっている。図柄始動口１５に遊技球が入賞すると、特別図柄表示部Ｄａ〜Ｄｃの表示図柄が所定時間だけ変動し、図柄始動口１５への遊技球の入賞タイミングに応じた抽選結果に基づいて決定される停止図柄で停止する。なお、特別図柄表示部Ｄａ〜Ｄｃ及びその周りでは、一連の図柄演出の間に、予告演出が実行される場合がある。
【００２４】
大入賞口１６は、例えば前方に開放可能な開閉板１６ａで開閉制御されるが、特別図柄表示部Ｄａ〜Ｄｃの図柄変動後の停止図柄が「７７７」などの大当り図柄のとき、「大当
り」と称する特別遊技が開始され、開閉板１６ａが開放されるようになっている。大入賞口１６の内部に入賞領域１６ｂが設けられている。
【００２５】
大入賞口１６の開閉板１６ａが開放された後、所定時間が経過し、又は所定数（例えば１０個）の遊技球が入賞すると開閉板１６ａが閉じる。このような動作は、最大で例えば１５回まで特別遊技が継続され、遊技者に有利な状態に制御される。なお、特別図柄表示部Ｄａ〜Ｄｃの変動後の停止図柄が特別図柄のうちの特定図柄であった場合には、特別遊技の終了後のゲームが高確率状態（確変状態）となるという特典が付与される。通常、この特定図柄による大当りを「確変大当り」と言う。
【００２６】
図３は、上記した各動作を実現するパチンコ機１の全体回路構成を示すブロック図である。図中の破線は、主に、直流電圧ラインを示している。
【００２７】
図示の通り、このパチンコ機１は、ＡＣ２４Ｖを受けて各種の直流電圧を出力すると共に電源投入時にシステムリセット信号を出力する電源基板２０と、遊技動作を統括的に制御する主制御基板２１と、主制御基板２１から受けた制御コマンドＣＭＤに基づいてランプ演出及び音声演出を実行する演出制御基板２２と、演出制御基板２２から受けた信号を各部に伝送する演出インターフェイス基板２３と、演出インターフェイス基板２３から受けた制御コマンドＣＭＤ’に基づいて液晶ディスプレイＤＩＳＰを駆動する液晶制御基板２４と、主制御基板２１から受けた制御コマンドＣＭＤ”に基づいて払出モータＭを制御して遊技球を払い出す払出制御基板２５と、遊技者の操作に応答して遊技球を発射させる発射制御基板２６とを中心に構成されている。
【００２８】
ここで、主制御基板２１、演出制御基板２２、液晶制御基板２４、及び払出制御基板２５には、ワンチップマイコンを備えるコンピュータ回路がそれぞれ搭載されている。そこで、主制御基板２１、演出制御基板２２、液晶制御基板２４、及び払出制御基板２５に搭載された回路及びその回路によって実現される動作を機能的に総称して、以下の説明では、主制御部２１、演出制御部２２、液晶制御部２４、及び払出制御部２５と言うことがある。また、演出制御部２２、液晶制御部２４、及び払出制御部２５の全部又は一部がサブ制御部である。
【００２９】
図３に示す通り、主制御基板２１は、コマンド中継基板２９に接続されると共に、遊技盤中継基板２７を経由して、遊技盤５の各遊技部品に接続されている。そして、遊技盤上の各入賞口１６〜１８に内蔵された検出スイッチのスイッチ信号を受ける一方、電動チューリップなどのソレノイド類を駆動している。なお、図柄始動口１５からのスイッチ信号については、遊技盤中継基板２７を経由することなく、直接、主制御部２１が受けている。
【００３０】
払出制御部２５は、主制御部２１から受けた制御コマンドＣＭＤ”に基づいて指定された賞球を払出している。具体的には、払出モータＭ１を所定数回転させることで必要な賞球動作を実現している。そして、遊技球の払出動作を示す賞球計数信号や、払出動作の異常に係わるステイタス信号ＣＯＮを主制御部２１に送信している。なお、ステイタス信号ＣＯＮには、例えば、補給切れ信号、払出不足エラー信号、下皿満杯信号が含まれる。
【００３１】
また、払出制御部２５は、発射制御基板２６に対して、交流電圧ＡＣ２４Ｖと発射制御信号ＣＴＬを出力している。この発射制御信号ＣＴＬは、発射モータＭ２を動作させる条件となるものであり、発射制御信号ＣＴＬがＬレベルであると遊技球の発射動作が禁止される。
【００３２】
更にまた、払出制御部２５は、ホールコンピュータに対して、賞球信号とドア信号と異
常検知信号ＥＲとを出力している。ホールコンピュータとは、遊技ホールの全遊技機の一元管理をするコンピュータ機器であり、各遊技機から受けた賞球信号に基づいて、払出モータＭ１の賞球動作を管理している。
【００３３】
異常検知信号ＥＲは、遊技盤５の適所に配置された複数の磁気センサＳＷ（図２（ｂ）参照）の何れかがＯＮ動作をしたことを示す１ビット長の信号である。この異常検知信号ＥＲは、自動的にホールコンピュータに伝送されるので、係員による迅速な対応が可能となる。
【００３４】
この実施例では、複数の磁気センサＳＷは、払出制御基板２５とは分離した２つの不正検知基板３０Ａ，３０Ｂに搭載されている。そのため、各入賞口１５〜１８に対応して、最適な位置に磁気センサＳＷを配置することが可能となる。
【００３５】
図４は、不正検知基板３０Ａ，３０Ｂと払出制御基板２５との接続関係を示す回路図である。払出制御基板２５には、スイッチングトランジスタＱと、トランジスタＱのコレクタ端子と電源電圧Ｖｃｃとの間に接続される負荷抵抗ＲＬと、トランジスタＱのベース端子とグランド間に接続される抵抗Ｒ２及びコンデンサＣとが設けられている。なお、これらの回路素子に、不正検知基板３０Ａ，３０Ｂの磁気センサＳＷｉｊを加えることで、本実施例に特徴的な異常検出回路ＤＥＴが構成されている。
【００３６】
スイッチングトランジスタＱは、通常時はＯＮ状態であり、したがって、コレクタ端子からの出力信号Ｖｏｕｔは、通常時（正常時）にはＬレベルである。一方、磁気センサＳＷｉｊの何れかが異常磁界に反応してＯＮ状態になると、ベース端子に入力される検出電圧Ｖｉｎがゼロとなるので、トランジスタＱがＯＮ状態からＯＦＦ状態に遷移して、コレクタ端子からの出力信号ＶｏｕｔがＨレベルとなる。したがって、この実施例では、コレクタ端子からの出力信号Ｖｏｕｔを、異常検知信号ＥＲとしてホールコンピュータに伝送している（図３参照）。
【００３７】
以上の動作を実現するため、払出制御基板２５から不正検出基板３０Ａに対して電源電圧Ｖｃｃが供給されている。一方、払出制御基板２５では、複数の磁気センサＳＷ１１〜ＳＷ１ｎが並列接続され、各磁気センサＳＷ１ｉの両端電圧が、スイッチングトランジスタＱへの入力信号Ｖｉｎとして払出制御基板２５に供給されている。図４に示す通り、払出制御基板のコネクタＣＮ０の１番端子、２番端子、及び４番端子が、不正検出基板３０ＡのコネクタＣＮ１の１番端子、３番端子、及び４番端子にそれぞれ接続されている。
【００３８】
また、不正検出基板３０ＡのコネクタＣＮ１の２番端子は、コネクタＣＮ１の１番端子に内部接続されると共に、不正検出基板３０ＢのコネクタＣＮ２の1番端子に接続されて
電源電圧Ｖｃｃを供給している。
【００３９】
不正検出基板３０Ｂでは、コネクタＣＮ２の1番端子に受けた電源電圧Ｖｃｃを、抵抗
Ｒ１を通して各磁気スイッチＳＷ２１〜ＳＷ１ｍに供給している。したがって、この抵抗Ｒ１は、磁気センサに対しては電流制限抵抗として機能する。電流上限値は、Ｖｃｃ／Ｒ１であり、抵抗Ｒ１の抵抗値は、磁気センサＳＷに流すＯＮ電流値（電流上限値）に基づいて決定される。
【００４０】
各磁気センサＳＷ２１〜ＳＷ２ｍの接続は、不正検知基板３０Ａの磁気センサＳＷ１１〜ＳＷ１ｎと同じであり、並列接続された各磁気センサＳＷ２１〜ＳＷ２ｍの両端電圧が、スイッチングトランジスタＱへの入力信号Ｖｉｎとして払出制御基板２５に供給されている。すなわち、不正検知基板３０ＢのコネクタＣＮ２の２番端子と３番端子は、払出制御基板２５のコネクタＣＮ０の３番端子と５番端子に接続されている。
【００４１】
以上の説明から明らかなように、異常検出回路ＤＥＴは、不正検出基板３０Ａ，３０Ｂと払出制御基板２５とで完成され、抵抗Ｒ１，Ｒ２は、スイッチングトランジスタＱのバイアス抵抗としても機能する。そして、正常時には、トランジスタＱのベース電圧（入力電圧Ｖｉｎ）は、ほぼＲ２／（Ｒ１＋Ｒ２）×Ｖｃｃとなる。この入力電圧ＶｉｎはトランジスタＱをＯＮ動作させるに十分な値であるので（そのような入力電圧Ｖｉｎになるよう抵抗Ｒ２の抵抗値を決定する）、トランジスタＱの出力電圧Ｖｏｕｔは正常時にはＬレベルとなる。
【００４２】
ところが、不正遊技者が磁石を使用したような場合には、いずれかの磁気センサＳＷｉｊがＯＮ動作をして、抵抗Ｒ２が磁気センサＳＷｉｊによって短絡される。そのため、トランジスタＱのベース電圧（入力電圧Ｖｉｎ）は０ボルトとなり、トランジスタＱの出力電圧ＶｏｕｔはＨレベルの異常値となる。
【００４３】
また、コネクタＣＮ０〜ＣＮ２の何れかが接続不良であるか、コネクタ接続が不正に解除された場合には、電源電圧Ｖｃｃ→バイアス抵抗Ｒ１，Ｒ２によるバイアス電圧が途絶えるので、トランジスタＱのベース電圧（入力電圧Ｖｉｎ）は０ボルトとなり、この場合にも、トランジスタＱの出力電圧ＶｏｕｔはＨレベルの異常値となる。したがって、図示の異常検出回路ＤＥＴによれば、異常な磁気レベルと接続異常とを合わせて検出することができる。なお、抵抗Ｒ２に並列接続されているコンデンサＣは、ノイズ電圧を吸収するためのキャパシタンスであり、ノイズによる異常検出回路ＤＥＴの誤動作を防止している。したがって、コネクタＣＮ０の２番端子とトランジスタＱのベース端子との間に、ノイズ抑制用のコイルを追加して接続するのも好適である。
【００４４】
また、同様の趣旨から、配線ケーブルとして、ツイストペアケーブルを使用するのが好ましい。ツイストペアケーブルとは、２本の線を互いにねじりあわせて束にしたもので、２本の線の一方をセンサからの検出信号線、他方をグランド線となるように使用する。ツイストペアケーブルを使用すれば、同軸ケーブルには劣るものの、通常のシールドケーブルよりノイズ対策上有効である。本実施例では、定常的に、複数の回路基板を循環して直流電流が流れるので（２５→３０Ａ→３０Ｂ→２５）、特にツイストペアケーブルの使用が有効である。
【００４５】
以上、本発明の実施例を具体的に説明したが、具体的な記載内容は何ら本発明を限定するものではなく、各種の改変が可能である。
【００４６】
例えば、トランジスタＱに対するバイアス抵抗Ｒ１（磁気センサに対しては電流制限抵抗Ｒ１）の配置は、図４の位置に限定されず、コネクタＣＮ１の１番端子と２番端子の間、或いは、コネクタＣＮ０の１番端子に至る電源ラインに直列接続しても良い（図５参照）。また、電源電圧Ｖｃｃ→抵抗Ｒ１の電源ラインは、必ずしも磁気センサＳＷ２ｊで終端させる必要はなく、図５の破線に示すように、磁気センサＳＷ２ｊに接続することなく、払出制御基板２５に戻しても良い。但し、この場合には、不正検出基板３０Ｂと払出制御基板２５との接続ケーブルが３本ではなく４本必要となる。
【００４７】
また、本実施例の大きな特徴は、磁気検出だけでなく、これに合わせて接続不良を検出できることであるから、不正検出基板３０Ａにおける電源供給ラインをコネクタＣＮ１の両端に配置するのが好ましい。すなわち、コネクタＣＮ１の１番端子と２番端子を隣接させるのではなく、コネクタＣＮ１の両端に配置すれば不完全な接続状態の検出が容易である。同様に、コネクタＣＮ２の１番端子と２番端子についても、コネクタＣＮ２の両端に配置するのが好適である。
【００４８】
また、上記した実施例では、不正検出基板が複数個の構成を説明したが、不正検出基板を単一個にしても良い。この場合は、図６の回路構成となり、不正検出基板３０に、あえて電源ラインを供給することで、違法磁界とコネクタ接続不良とを合わせて検出することが可能となる。この回路では、全ての配線ケーブルをツイストペアケーブルにすると共に、スイッチングトランジスタＱの入力側にコイルＬとコンデンサＣとによるノイズ阻止回路を設けている。図７と対比すれば明らかな通り、図６の回路では、入力電圧Ｖｉｎをプルアップすることができず、定常的に電流が流れるので、ツイストペアケーブルやコイルＬの使用は有効である。
【００４９】
なお、上記の実施例では異常検出信号ＥＲをホールコンピュータに伝送する旨説明したが、これに代えて、或いは、これに加えて、払出制御部のＣＰＵに供給しても良い。また、不正検出基板の中央基板としては、払出制御基板２５に限定される必要はなく、主制御基板２１その他でも良く、受けた異常検出信号ＥＲに基づいて報知動作を行っても良い。
【００５０】
また、何れの実施例も、弾球遊技機に限定される必要はなく、スロットマシンを含む他の遊技機にも好適に適用できるのは勿論である。それは、スロットマシンにおいてもコイン検出部やその他の検出部を強力な磁界によって誤動作させる不正行為があり得るからである。
【００５１】
なお、上記各実施例では磁気センサＳＷについて説明したが、磁気センサＳＷに代えて、或いは磁気センサに加えて、ドア開閉スイッチなどを配置しても良い。
【符号の説明】
【００５２】
ＳＷｉｊ  センサ
３０      周辺基板
２５      中央基板
Ｖｃｃ    直流電圧
Ｒ２      検出抵抗
【図１】
2010269171.tif 000003
【図２】
2010269171.tif 000004
【図３】
2010269171.tif 000005
【図４】
2010269171.tif 000006
【図５】
2010269171.tif 000007
【図６】
2010269171.tif 000008
【図７】
2010269171.tif 000009
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
遊技者の動作に関連する所定の検出状態が発生すると、これに起因する当否抽選によって遊技者に有利な利益状態を発生させるか否かを決定する遊技機であって、
直流入力端子、信号出力端子、及びグランド端子が設けられ、信号出力端子とグランド端子間に、ＯＮ／ＯＦＦ動作する単数又は複数のセンサが設けられた周辺基板と、
周辺基板に設けられた直流入力端子、信号出力端子、及びグランド端子に対応して、直流出力端子、信号入力端子、及びグランド端子を有して周辺基板に接続される中央基板と、を有して構成され、
中央基板の直流出力端子から出力される直流電圧は、直接又は抵抗を経由して、周辺基板の信号出力端子に伝送されるよう構成される一方、
中央基板には、信号入力端子とグランド端子との間に接続される検出抵抗と、検出抵抗の両端電圧に基づいて動作する単一のスイッチング素子とが設けられ、
周辺基板のセンサの動作状態と、周辺基板と中央基板の接続状態とが、中央基板の単一のスイッチング素子の出力によって検出可能に構成されたことを特徴とする遊技機。
【請求項２】
前記検出抵抗には、コンデンサが並列接続されている請求項１に記載の遊技機。
【請求項３】
前記センサは、外力に反応して接点が開閉されるＯＮ／ＯＦＦスイッチか、又は磁界に反応して接点が開閉される磁気スイッチである請求項１又は２に記載の遊技機。
【請求項４】
前記検出抵抗の両端電圧は、中央基板に配置されたスイッチング素子に入力信号として供給される請求項１〜３の何れかに記載の遊技機。
【請求項５】
前記配線ケーブルは、少なくともその一部がツイストペア線である請求項１〜４の何れかに記載の遊技機。
【請求項６】
前記複数個の配線ケーブルは全てコネクタを経由して配線され、各コネクタの両端の端子は、各々前記直流電圧とグランドラインに接続されている請求項１〜５の何れかに記載の遊技機。
【手続補正２】
【補正対象書類名】明細書
【補正対象項目名】０００７
【補正方法】変更
【補正の内容】
【０００７】
上記の目的を達成するため、請求項１に係る発明は、遊技者の動作に関連する所定の検出状態が発生すると、これに起因する当否抽選によって遊技者に有利な利益状態を発生させるか否かを決定する遊技機であって、直流入力端子、信号出力端子、及びグランド端子が設けられ、信号出力端子とグランド端子間に、ＯＮ／ＯＦＦ動作する単数又は複数のセンサが設けられた周辺基板と、周辺基板に設けられた直流入力端子、信号出力端子、及びグランド端子に対応して、直流出力端子、信号入力端子、及びグランド端子を有して周辺基板に接続される中央基板と、を有して構成され、中央基板の直流出力端子から出力される直流電圧は、直接又は抵抗を経由して、周辺基板の信号出力端子に伝送されるよう構成される一方、中央基板には、信号入力端子とグランド端子との間に接続される検出抵抗と、検出抵抗の両端電圧に基づいて動作する単一のスイッチング素子とが設けられ、周辺基板のセンサの動作状態と、周辺基板と中央基板の接続状態とが、中央基板の単一のスイッチング素子の出力によって検出可能に構成されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、中央基板から周辺基板に対してあえて直流電圧を伝送する点に特徴がある。簡易な構成を必要とする場合には、例えば、図７のような構成になると考えられるが、このような構成では、スイッチのＯＦＦ状態と配線異常の区別ができない。しかし、上記した発明によれば、直流電圧を中央基板と周辺基板との間で循環させるので、センサが検出する異常事態と、センサでは検出できない接続異常とを合わせて検出することができる。